(57)【特許請求の範囲】
【請求項１】
中間部に一対の焦点を有する回転楕円体表面の一部を構成する膨出部を有するとともに、中心軸を有し、一端に封止部が形成されるとともに他端の中心軸上に細管が設けられ、細管の接合部近傍において中心軸に対して７０°未満の角度で傾斜する内壁面を有する透光性気密容器と；
この気密容器内にほぼ気密容器中心軸に沿って配置され、両端部が膨出部の回転楕円体の一対の焦点に位置したフィラメントと；
気密容器の表面に形成され、フィラメントから放出された赤外線を気密容器内に向けて反射する赤外線反射膜と；
一端が封止部に封着されるとともに他端にストレート形状の継線部が中間部を折り返して形成されており、この継線部にフィラメントの細管側端部が接続され、細管内に挿入される継線部よりも気密容器他端側の中間部が膨出して形成されるなめらかなＵ字状の湾曲部を有し、細管の内面頂部と隙間を持って係止されて継線部が気密容器中心軸に沿って配置される第１の内部リード線と；
一端が封止部に封着され、他端がフィラメントの封止部側端部に接続された第２の内部リード線と；
を具備したことを特徴とする白熱電球。
【請求項２】
細管は、膨出部の形成する傾斜面に連設されていることを特徴とする請求項１記載の白熱電球。
【請求項３】
第１の内部リード線は、単一の線材で構成されていることを特徴とする請求項１または２記載の白熱電球。
【請求項４】
フィラメントは多重コイルフィラメントであり、最終次のコイル軸および両端の一次コイルの軸がほぼ気密容器中心軸に沿って配置されていることを特徴とする請求項１ないし３のいずれか一記載の白熱電球。
【請求項５】
第１の内部リード線は、フィラメントの一次コイル内に挿入接続されていることを特徴とする請求項１ないし４のいずれか一記載の白熱電球。
【請求項６】
第２の内部リード線の他端は、フィラメントの封止部側端部の一次コイル内に挿入接続されていることを特徴とする請求項１ないし７のいずれか一記載の白熱電球。
【請求項７】
細管の内径を１．０mm以上、３．０mm以下とし、第１の内部リード線の素線径を０．２mm以上、０．５５mm以下にしたことを特徴とする請求項１ないし６のいずれか一記載の白熱電球。
【請求項８】
フィラメントの封止部側端部と封止部との間にビードガラスが設けられ、第１、第２の内部リード線は、ともにビードガラスを貫通していることを特徴とする請求項１ないし７のいずれか一記載の白熱電球。
【請求項９】
フィラメントの中間部に、ビードガラスに植設されたアンカーワイヤーが接続されていることを特徴とする請求項８記載の白熱電球。
【請求項１０】
請求項１ないし９のいずれか一記載の白熱電球と；
この白熱電球が組み込まれ、白熱電球からの光を制御する制光体と；
を備えたことを特徴とする照明装置。
【発明の詳細な説明】
【０００１】
【発明の属する技術分野】
本発明は、白熱電球およびこれを用いた照明装置に関する。
【０００２】
【従来の技術】
一般に、ハロゲン電球を含む白熱電球は、フィラメントの白熱による発光を利用する光源であるため、熱として外に放出されるエネルギーが多く、放電灯に比べてランプ効率が低い傾向にある。このような白熱電球の放熱を低減し、ランプ効率を向上させるため、最近、透光性気密容器の外面または内面に、赤外線を反射し可視光を透過する膜、すなわち赤外線反射膜を形成したランプが開発され、既に市販されている。
【０００３】
気密容器の表面に赤外線反射膜を形成すると、この赤外線反射膜がフィラメントから放出される赤外線を反射し、この反射された赤外線はフィラメントに戻されフィラメントを再加熱する。この結果、フィラメントに戻されるエネルギーの分だけ、外部から供給する電気エネルギーを節減することができ、発光効率が向上する。また、無駄に捨てられていた熱の放出が少なくなるので、器具等に対する熱影響を少なくすることができる等の利点もある。
【０００４】
このような赤外線反射膜の作用を有効に活用するには、フィラメントが気密容器の中心位置にあることが望まれる。すなわち、気密容器は球形、楕円球形、円筒形などの形状をなしているから、この気密容器表面に赤外線反射膜を形成した場合は赤外線反射膜で反射された赤外線は気密容器の中心軸上に戻される。このため、フィラメントはそのコイル軸を気密容器の中心軸上に配置すれば、赤外線は確実にフィラメントに戻される。この場合、赤外線の帰還率が高いという。
【０００５】
ところで、気密容器の構造が片側端部のみに封止部をもつ片封止形のランプの場合、この封止部に封着された一対の内部リード線は封止部の反対側となる気密容器の先端部近傍で固定されないと、マウントは片持ち支持となり、フィラメントのコイル中心軸が気密容器の中心軸上から位置ずれすることがある。この場合、赤外線がフィラメントに戻される帰還率が低くなる。
【０００６】
このようなことから、フィラメントのコイル中心軸を気密容器の中心軸上に精度良く位置決めするため、内部リード線の封止部と反対側となる気密容器先端部近傍をどのような構造で気密容器に係止又は固定させるかが重要である。
【０００７】
例えば、特開昭７−３８５５７号には、フィラメントのリード線の途中をＵ字状に屈曲させて、この屈曲部を細管に挿入固定する構造が開示されている。このようなフィラメント支持構造を赤外線反射膜付電球に適用することは可能である。
【０００８】
【発明が解決しようとする課題】
しかしながら、この従来技術はそもそもフィラメントを支持する目的で開発された構造であって、フィラメントを中心軸に精度良く位置させる目的で開発された構造ではない。このため、以下のような欠点がある。
【０００９】
すなわち、Ｕ字状の屈曲部を細管内に挿入しようとするとき、Ｕ字状屈曲部が、細管の接合部近傍（細管の入口）で引っかかりやすく、そのため内部リード線がわずかに変形し、フィラメントの位置出し精度が低下してしまう。従来のように赤外線反射膜付電球でなければ、細管への挿入の際の内部リード線の変形は、フィラメント支持という目的にあっては何等問題を生じていなかった。しかしながら、赤外線反射膜付電球にあっては、同じわずかな変形が、赤外線帰還率の差に表れて、効率低下をもたらすことが分かった。
【００１０】
本発明の目的とするところは、片封止形のランプにおいてフィラメントを気密容器の中心軸上に正しく位置させることができ、赤外線反射膜で反射された赤外線が確実にフィラメントに戻されるようにした白熱電球およびこれを用いた照明装置を提供しようとするものである。
【００１１】
【課題を解決するための手段】
請求項１の発明は、中間部に一対の焦点を有する回転楕円体表面の一部を構成する膨出部を有するとともに、中心軸を有し、一端に封止部が形成されるとともに他端の中心軸上に細管が設けられ、細管の接合部近傍において中心軸に対して７０°未満の角度で傾斜する内壁面を有する透光性気密容器と；この気密容器内にほぼ気密容器中心軸に沿って配置され、両端部が膨出部の回転楕円体の一対の焦点に位置したフィラメントと；気密容器の表面に形成され、フィラメントから放出された赤外線を気密容器内に向けて反射する赤外線反射膜と；一端が封止部に封着されるとともに他端にストレート形状の継線部が中間部を折り返して形成されており、この継線部にフィラメントの細管側端部が接続され、細管内に挿入される継線部よりも気密容器他端側の中間部が膨出して形成されるなめらかなＵ字状の湾曲部を有し、細管の内面頂部と隙間を持って係止されて継線部が気密容器中心軸に沿って配置される第１の内部リード線と；一端が封止部に封着され、他端がフィラメントの封止部側端部に接続された第２の内部リード線と；を具備したことを特徴とする白熱電球である。
【００１２】
請求項１の発明によると、細管との境界における気密容器内壁面は中心軸に対して７０°未満の角度で傾斜し、かつＵ字状の曲成部がなめらかに曲成されているので、この曲成部を細管内に挿入する際、細管の接合部近傍で引っかかりにくく、そのため内部リード線の形状が変形せず、フィラメントを中心軸上に精度良く配置できる。この結果、赤外線の帰還率を高く維持できる。
【００１３】
ここで、９０°未満の角度で傾斜し、とあるのは、傾斜することで、Ｕ字状の湾曲部が細管内に挿入されやすくするためである。従って９０°未満とあるが、実用上は９０°ぎりぎりでは、効果は小さく、好ましくは７０°以下である。傾斜は直線的ではなく、円弧を描くようにして細管の接合部近傍近傍が全体として傾斜していてもよい。また、なめらかなＵ字状とは、従来技術のようにＵ字状の曲成部が実質的に矩形に近似した形状となるものを排除することを意味する。なめらかなＵ字状にすることにより、細管の接合部近傍で曲成部が引っかかるのを抑制できる。
【００１４】
気密容器形状は、実用化されている筒状、球状、回転楕円体形状、これらの複合形状を含み、これらに限定されない。
【００１５】
気密容器形状は、回転楕円体形状、回転楕円体形状及び球状の複合形状を含む。
【００１６】
コイルフィラメントは、いわゆるシングルコイルフィラメント、ダブルコイルフィラメント、トリプルコイルフィラメントを含む。
【００１７】
気密容器表面とは、内面、外面、両面の場合を含む。赤外線反射膜は、例えば、高屈折率層と低屈折率層とが交互に積層された多層干渉膜から構成される。
【００１８】
細管とは、気密容器の他の部分に細管よりも太い（径の大きい）部分があり、その部分に対して細い（小さい径）管であることを意味する。また、管というのは、Ｕ字状の湾曲部が挿入できるだけの長さが必要であるが、挿入できれば短くてもよい。従って、排気管を封止切りした跡を利用して形成してもよい。
【００１９】
第１、第２の内部リード線は、必ずしも単一部材である必要はない。ただし、単一部材の方が好ましい。
【００２０】
白熱電球としては、一般電球、ハロゲン電球、クリプトン電球などを含み、これに限定されない。
【００２１】
一方の焦点近傍から放射された赤外線は、他方の焦点近傍に戻ってくる。この分、円筒気密容器を有する白熱電球よりも赤外線帰還率は高くなる。一方、このようなランプでは、フィラメントが気密容器の軸から外れた場合の、帰還率の低下は、円筒形の気密容器を用いた場合よりも大きい。このため、本発明は、気密容器の軸方向の中間部に、一対の焦点を有する回転楕円体表面の一部を構成する膨出部を有する気密容器を用いた白熱電球に適する。
【００２２】
請求項２の発明は、細管が膨出部の形成する傾斜面に連設されていることを特徴とする請求項１記載の白熱電球である。
【００２３】
膨出部に直接細管を接続することで、細管の接合部近傍の気密容器内壁面を容易に傾斜面とすることができる。
【００２４】
請求項３の発明は、第１の内部リード線は、単一の線材で構成されていることを特徴とする請求項１または２一記載の白熱電球である。
【００２５】
単一の線材を使用することで構造が極めて簡単になる。単一の線材としてはタングステン、モリブデン等が使用できる。
【００２６】
請求項４の発明は、フィラメントが多重コイルフィラメントであり、最終次のコイル軸および両端の一次コイルの軸がほぼ気密容器中心軸に沿って配置されていることを特徴とする請求項１ないし３のいずれか一記載の白熱電球である。
【００２７】
多重コイルフィラメントは、いわゆるダブルコイルフィラメント、トリプルコイルフィラメントを含む。最終次のコイル軸とは、ダブルコイルフィラメントであれば、ダブルコイルのコイル軸であり、トリプルコイルフィラメントであれば、トリプルコイルのコイル軸である。請求項１ないし３の発明と同様の作用を有する。
【００２８】
請求項５の発明は、第１の内部リード線をフィラメントの端部の一次コイル部分に嵌挿することを特徴としている。この接続構造は簡単であり、フィラメントの端部の一次コイル部分と第１の内部リード線が同軸的に接続されているので、この接続部が、フィラメントの位置ずれを起こすことがない。
【００２９】
請求項６の発明は、第２の内部リード線の他端は、フィラメントの封止部側端部の一次コイル内に挿入接続されていることを特徴とする請求項１ないし５のいずれか一記載の白熱電球である。
【００３０】
フィラメントの封止部側端部は、封止部に近いので位置ずれを生じにくい構造になっているが、第２の内部リード線の他端を、フィラメントの封止部側端部の一次コイル内に挿入接続することで、フィラメントの位置決めは、より一層確実になる。
【００３１】
請求項７の発明は、細管の内径を１．０mm以上、３．０mm以下とし、第１の内部リード線の素線径を０．２mm以上、０．５５mm以下にしたことを特徴とする請求項１ないし６のいずれか一記載の白熱電球である。
【００３２】
細管の内径を３．０mm以下としたので、細管を太くしすぎず、その結果、細管以外に形成する赤外線反射面を大きく確保することができる。また、細管を太くしすぎないので中心位置が決め易い。また、細管を１．０ｍｍ以上としたので排気工程の排気能率を阻害しない。すなわち、細管の内径が１．０mm未満の場合は、排気管としての開口面積が小さくて排気を阻害し、排気能率が低下する。また、紬管の内径が３．０ｍｍを越えると、気密容器の赤外線反射に有効な面積が小さくなり、またここに挿入されるＵ字状の湾曲部ががたつくのでフィラメント中心軸のセンター出しがばらつく。よって、細管の内径は１．０mm以上、３．０mm以下がよい。
【００３３】
また、内部リード線の素線径を０．２mm以上、０．５５mm以下にしたから、細管を塞ぐことなく、かつ内部リード線としての本来の機能を果たすことができる。すなわち、内部リード線はフィラメントを機械的に支持するサポートの働きをしており、かつ電流を流す経路にもなっている。よって、内部リード線の素線径が０．２mm未満であると、機械的強度が弱くなり過ぎてサポートの機能を奏せず、また所定の電流を流す場合に支障となる。しかし、この内部リード線の素線径が０．５５mmを越えると、これに一体に形成されて細管に挿入されるＵ字状の湾曲部の細管内に占める割合が大きくなり、排気通路を塞ぐから、排気効率が低下する。また、内部リード線の素線径が０．５５mmを越えると、曲成加工が難しくなって加工精度が低下し、フィラメントの中心軸を気密容器の中心軸に一致させることが困難になる。よって内部リード線の素線径は０．２mm以上、０．５５mm以下が好ましい。
【００３４】
請求項８の発明は、フィラメントの封止部側端部と封止部との間にビードガラスが設けられ、第１、第２の内部リード線は、ともにビードガラスを貫通していることを特徴とする請求項１ないし７のいずれか一記載の白熱電球である。
【００３５】
封止部よりもフィラメントに近い位置にビードガラスが設けられていることで、第２の内部リード線の位置決めがより確実なものとなる。この結果、フィラメントの位置決め精度が向上する。
【００３６】
請求項９の発明は、フィラメントの中間部に、ビードガラスに植設されたアンカーワイヤーが接続されていることを特徴とする請求項８記載の白熱電球である。アンカーワイヤーを使用する白熱電球にも本発明は適用できる。アンカーワイヤーを接続しているので耐振性が向上する。
【００３７】
請求項１０の発明は、請求項１ないし９のいずれか一記載の白熱電球と；この白熱電球が組み込まれ、白熱電球からの光を制御する制光体と；を備えたことを特徴とする照明装置である。
【００３８】
照明装置としては、通常の一般照明装置の他、車両用前照灯などのような投光形照明装置を含む。制光体とは、反射鏡、光拡散レンズ、光拡散カバー等を含む。
【００３９】
請求項１０の発明は、請求項１ないし９に記載の白熱電球の利点を生かした照明装置を提供することができる。
【００４０】
【発明の実施の形態】
図１ないし図３は本発明に係る白熱電球の第１の実施の形態を表し、図１は口金部省略した正面図、図２は図１に口金部を付加した斜視図である。
【００４１】
片封止形ハロゲン電球１は、石英ガラスからなる気密容器２を有している。気密容器２は、一端に圧潰封止部３が形成され、この封止部３に連続して円筒部４が形成され、さらに回転楕円体面を有する膨出部５が形成されている。膨出部５は封止部３およびその反対側方向に長軸を有し、この長軸方向が気密容器の中心軸Ｏ1−Ｏ1となっている。気密容器２の他端には気密容器の中心軸Ｏ1−Ｏ1上に細管６が突設されている。この細管６は、実質的に排気管を封止切りして残った突出部を利用している。細管６は図２に示すように、内径Ｄが１．０mm以上、３．０mm以下、具体的には２．０ｍｍに設定されている。細管６の接合部近傍の気密容器２の内壁面の傾斜、すなわち中心軸Ｏ1−Ｏ1と細管６の接合部近傍の気密容器２の内壁面の作る角度θは、約６０°である。
【００４２】
気密容器２の外面（内面でも可）には可視光透過赤外線反射膜７が形成されている。赤外線反射膜７は、図示しないが、例えば酸化チタン（ＴｉＯ2）、酸化タン夕ル（Ｔａ2Ｏ5）、酸化ジルコニウム（ＺｒＯ2）、硫化亜鉛（ＺｎＳ）などからなる高屈折率層と、酸化ケイ素（シリ力＝ＳｉＯ2）、ふっ化マグネシウム（ＮｇＦ2）などからなる低屈折率属とを交互に、例えば合計６〜８０層の多層膜として構成したものであり、このような赤外線反射膜７は多層干渉作用により赤外線を反射し、しかしながら可視光を透過する作用を奏する。
【００４３】
気密容器２内には、タングステンＷからなるフィラメント８が収容されている。フィラメント８は、２重コイルからなり、その２次コイルのコイル軸Ｏ2−Ｏ2が気密容器の中心軸Ｏ1−Ｏ1と一致するように配置されている。また、フィラメント８は、気密容器２の回転楕円面の形成する第１の焦点Ｆ1および第２の焦点Ｆ2に概略跨る長さを有し、端部はこれら焦点Ｆ1およびＦ2の近傍に配置されている。フィラメント８の両端は、一次コイル部が気密容器の軸Ｏ1−Ｏ1と一致するように配置されている。
【００４４】
フィラメント８は、第１、第２の内部リード線１０、１１の間に架設されている。これら内部リード線１０および１１は、それぞれ素線径ｄ2 が０．２mm以上、０．５５mm以下、具体的には０．３５ｍｍとなっている。これら内部リード線１０、１１の基端部は、圧潰封止部３に封着されたモリブデンＭｏなどからなる金属箔導体１２，１３に接続されており、先端部は気密容器２の円筒部４を通って膨出部５に導かれている。これら一対の内部リード線１０、１１は、途中が円筒部４内においてビードガラス９により連結されており、相互の間隔が保たれている。
【００４５】
第１の内部リード線１０は、膨出部５内に位置される箇所に張り出し部１０ａを有している。また、第１の内部リード線１０は、この張り出し部１０ａから伸びて細管６に差し込まれるＵ字状の湾曲部１０ｂを有している。Ｕ字状の湾曲部１０ｂの曲がり方はなめらかであり、円弧状に曲成されている。さらに第１の内部リード線１０は、Ｕ字状の湾曲部１０ｂから圧潰封止部３の方向に向かって気密容器の中心軸Ｏ1−Ｏ1に沿って伸びるストレートなフィラメント継線部１０ｃを有している。細管６に挿入されたＵ字状の湾曲部１０ｂは細管６の内面に接触または微小な間隙を介して接近しており、内部リード線１０が傾こうとすると細管６の内面に当接してその傾斜を阻止する。
【００４６】
第２の内部リード線１１は、細管６の方向に向かって気密容器の中心軸Ｏ1−Ｏ1に沿って伸びるストし−トなフィラメント継線部１１ａを有している。
【００４７】
フィラメント８は、両端部に一次コイルの脚部８ａ、８ｂを有している。これら脚部８ａ、８ｂが内部リード線１０、１１のストレートなフィラメント継線部１０ｃおよび１１ａに差し込まれ、フィラメント８全体が内部リード線１０、１１に架設されている。
【００４８】
内部リード線１０、１１のストレートなフィラメント継線部１０ｄおよび１１ａは、それぞれ気密容器の中心軸Ｏ1−Ｏ1に沿って伸びているから、これらに連結されたフィラメント８は、そのコイル軸Ｏ2−Ｏ2が気密容器の中心軸Ｏ1−Ｏ1と一致するように配置されている。
【００４９】
気密容器２内には、ハロゲンガスが封入されている。また、圧潰封止部３に封着されたモリブデンＭｏなどからなる金属箔導体１２、１３には、外部リード線１４、１５が接続されている。そして、気密容器２の圧潰封止部３は、図２に示すセラミック製の絶縁ベース１６に対して接着剤１７により接合されている。絶縁ベース１６は、ねじ込み形口金１８および外部端子１９を有し、外部リード線１４、１５はこれらねじ込み形口金１８および外部端子１９に接続されている。
【００５０】
図３（Ａ）ないし（Ｄ）は、各々図１および２の白熱電球に使用されるマウントの製造手順を示す説明図である。リード線となるタングステンワイヤを図３R>３の（Ａ）に示すように成形して、一対の内部リード線の半製品を作る。この成形品は、１本のワイヤが連続して一筆書きのような半製品となっており、張り出し部１０ａ、Ｕ字状の湾曲部１０ｂ、ストレートなフィラメント継線部１０ｃを有し、かつ他のストレ−トなフィラメント継線部１１ａを有している。
【００５１】
このような半製品は、図３の（Ｂ）に示すように、それぞれの端部をビードガラス９により連結する。その後、図３の（Ｃ）に示すように、フィラメント取付け部を切断し、これにより一対の内部リード線１０、１１が得られる。したがって、図３の（Ｄ）に示すように、フィラメント継線部１０ｄ、１１ａ間にフィラメント８を接続すれば、マウントが出来上がる。
【００５２】
図４は、図１のハロゲン電球を反射鏡と組み合わせた照明装置の一部断面を有する正面図である。ハロゲン電球１は、反射体２０に収容されている。反射体２０は、反射面２１を形成したリフレクタ２２を有し、このリフレクタ２２にはセラミックなどからなる口金２３を接合している。この口金２３には捩じ込み形口金２４および外部端子２５が設けられており、これら捩じ込み形ロ金２４および外部端子２５を介して電源に接続される。
【００５３】
このような反射体２０に収容されたハロゲン電球１が点灯されると、気密容器２および赤外線反射膜７を透過した可視光が反射面２１で反射され、リフレクタ２２の前面開口部から前方を照射する。この場合、赤外線は赤外線反射膜７により気密容器２内に戻されるからリフレクタ２２に達しなく、リフレクタ２２の温度上昇が防止され、かつ赤外線はリフレクタ２２の前方にも照射されず、温度上昇を嫌う可視光照射に有効である。
【００５４】
このような反射形照明装置によれば、ハロゲン電球１の効率が向上するから、その利点を活用することができ、効率の高い照明装置となる。
【００５５】
そして、リフレクタ２２の反射面に図示しないが可視光反射赤外線透過膜をコーティングしたダイクロイックミラーの場合は、照射面の温度上昇をさらに抑止することができる。
【００５６】
図５は、本発明の白熱電球の第２の実施の形態を表す正面図である。第２の実施の形態では、フィラメント８の中間部に、ビードガラス９に植設されたアンカーワイヤー２６が接続されている。アンカーワイヤー２６により、フィラメントの耐振性を向上させている。
【００５７】
図６は、本発明の白熱電球のフィラメント継線部の変形態様を拡大して示す部分拡大図である。この変形態様では、第１、第２のリード線１０および１１に、それぞれフィラメント継線部１０ｃ、１１ａと連続して波形部１０ｄを形成した（一方にリード線１０の波形部１０ｄのみを図示する）ものであり、この波形部１０ｄにフィラメント８の脚部８ａが差し込まれている。このようにすると、フィラメント８の脚部８ａの移動が波形部１０ｄにより防止されるようになり、よって、フィラメント８の移動が阻止され、フィラメント８の支持が確実になる。
【００５８】
【発明の効果】
請求項１の発明によればフィラメントを中心軸上に精度良く配置でき、赤外線の帰還率を高く維持できる。
【００５９】
請求項２の発明によれば、膨出部に直接細管を接続しているので、請求項１の白熱電球を容易に構成できる。
【００６０】
請求項３の発明は、第１の内部リード線が、単一の線材で構成されているので、構造が極めて簡単になる。
【００６１】
請求項４の発明は、請求項１ないし３の発明と同様の効果を有する。
【００６２】
請求項５の発明は、第１の内部リード線をフィラメントの端部の一次コイル部分に嵌挿しているだけの簡単な接続構造であり、フィラメントの位置ずれが一層抑制できる。
【００６３】
請求項６の発明は、第２の内部リード線の他端が、フィラメントの封止部側端部の一次コイル内に挿入接続されているので、フィラメントの位置決めは、より一層確実になる。
【００６４】
請求項７の発明は、細管の内径を１．０mm以上、３．０mm以下とし、第１の内部リード線の素線径を０．２mm以上、０．５５mm以下にしたので、フィラメントの中心位置出し、排気能率、リード線の機械的強度、加工の容易性等の観点から、極めて実用的である。
【００６５】
請求項８の発明は、フィラメントの封止部側端部と封止部との間にビードガラスが設けられているのでフィラメントの位置決め精度が向上する。
【００６６】
請求項９の発明は、フィラメントの中間部に、ビードガラスに植設されたアンカーワイヤーが接続されているので、フィラメントの耐振性が向上する。
【００６７】
請求項１０の発明は、請求項１ないし９に記載の白熱電球の利点を生かした照明装置を提供することができる。
【図面の簡単な説明】
【図１】本発明に係る白熱電球の第１の実施の形態の口金部省略した正面図である。
【図２】図１に口金部を付加した斜視図である。
【図３】（Ａ）ないし（Ｄ）図はマウントの製造工程を示す説明図である。
【図４】図１に示すハロゲン電球を光源とした反射形照明装置の断面図である。
【図５】本発明の白熱電球の第２の実施の形態を表す正面図である。
【図６】本発明の白熱電球のフィラメント継線部の変形態様を拡大して示す部分拡大図である。
【符号の説明】
１…ハロゲン電球
２…気密容器
３…封止都
４…円筒部
５…膨出部
６…細管
７…赤外線反射膜
８…フィラメント
１０…第１の内部リード線
１１…第２の内部リード線
１０ｂ…Ｕ字状の湾曲部
【図１】
0003729285.tif 000002
【図２】
0003729285.tif 000003
【図３】
0003729285.tif 000004
【図４】
0003729285.tif 000005
【図５】
0003729285.tif 000006
【図６】
0003729285.tif 000007